(57)【要約】【課題】非接触ＩＣチップを用いて情報読取装置とデータの授受を行う場合において操作性を向上させることができるようにする。【解決手段】本発明に係る情報処理装置に適用可能なカメラ付ディジタル携帯電話機においては、処理動作設定部８１は、ＩＣリーダ／ライタ４との間でデータの授受時や授受後に実行される処理動作とカメラ付ディジタル携帯電話機の向きとが予め対応付けられて登録されているデータベースを参照して、向き検出部から供給された向き検出信号に基づいてデータの授受時や授受後に実行される処理動作を設定し、データ処理部８４は設定された処理動作に対応するプログラムに従い、取得された処理結果に関するデータに基づいて設定された処理動作を実行し、データ処理部８７は設定された処理動作に対応するプログラムに従い、無線通信によりＩＣリーダ／ライタ４との間で設定された処理動作を実行する。【選択図】  図８
2008003889.tif 000002
【特許請求の範囲】
【請求項１】
無線通信により情報読取装置とデータの授受を行う情報処理装置において、
前記情報処理装置の状態を検出し、状態検出信号を生成する状態検出手段と、
前記情報処理装置と前記情報読取装置との間でデータの授受を行う際またはデータ授受後に実行される処理動作と、前記情報処理装置の状態とが予め対応付けられて登録されているデータベースを参照して、状態検出手段により生成された状態検出信号に基づいて、前記情報処理装置と情報読取装置との間でデータの授受を行う際またはデータ授受後に実行される処理動作を設定する設定手段と、
前記設定手段により設定された前記処理動作に従い、前記情報処理装置と情報読取装置との間でデータの授受を行う際またはデータ授受後に、データ処理を実行するデータ処理手段とを備えることを特徴とする情報処理装置。
【請求項２】
前記状態検出手段は、前記情報読取装置から輻射される電磁波を遮断する遮蔽板によりそれぞれ区切られた少なくとも１つ以上のコイルからなることを特徴とする請求項１に記載の情報処理装置。
【請求項３】
前記データ処理手段は、前記情報処理装置と情報読取装置との間でデータ授受後にデータ処理を実行する場合、前記情報処理装置と情報読取装置との間でのデータの授受の際にすでに実行された第１のデータ処理の処理結果を用いて、前記設定手段により設定された前記処理動作に従い、第２のデータ処理を実行することを特徴とする請求項１に記載の情報処理装置。
【発明の詳細な説明】
【技術分野】
【０００１】
本発明は情報処理装置に係り、特に、非接触ＩＣチップを用いて情報読取装置と無線通信によりデータの授受を行うことができるようにした情報処理装置に関する。
【背景技術】
【０００２】
近年、携帯電話機には、単なる通話による通信機能だけでなく、アドレス帳機能、インターネットなどのネットワークを介したメール機能や、Ｗｅｂページなどを閲覧することが可能なブラウザ機能などの種々の機能が搭載されている。また、携帯電話機の所定の位置に内蔵された非接触ＩＣチップを用いた電子マネーサービスや各種の認証機能なども搭載されている。
【０００３】
例えばユーザが非接触ＩＣチップを用いた電子マネーサービスを利用する場合、ユーザにより専用のＩＣリーダ／ライタに携帯電話機が近接されると、携帯電話機は専用のＩＣリーダ／ライタとの無線通信を行い、決済を短時間で行う。その後、非接触ＩＣチップに記憶されている電子マネー情報と利用履歴などが更新される。また、ユーザは、決済処理時または決済処理後に、必要に応じて、現在の電子マネーの残金や利用履歴を液晶ディスプレイに表示させて確認することもできる。
【０００４】
ところで、非接触ＩＣチップを用いた種々の機能を利用する場合、ユーザは予めどの機能を利用するかを設定し、その機能を利用するための特別な操作をする必要がある。例えばＪＣＢ（登録商標）カードやＮＩＣＯＳ（登録商標）カードなどを利用してクレジット決済を行う場合、ユーザは、いずれかのカード会社のカードを利用してクレジット決済をするかを予め設定する必要がある。
【０００５】
そのため、ユーザの好みにより、商品Ａをお店で購入する際には、ＪＣＢ（登録商標）カードを利用してクレジット決済を行い、他の商品Ｂを購入する際には、ＮＩＣＯＳ（登録商標）カードなどを利用してクレジット決済を行うというようなことは困難であるという問題があった。
【０００６】
また、クレジット決済処理後における携帯電話機本体での処理、例えば残金や利用履歴などを液晶ディスプレイに表示するのか、あるいは、音やバイブのみでクレジット決済処理を行ったことをユーザに知らせて、残金や利用履歴などを表示しないようにするのかを簡単に切り替えることはできないという問題があった。
【０００７】
一方、従来から、表裏判定の位置関係を情報読取装置側で正確に認識でき、非接触ＩＣチップの表面側に対応する第１の機能と裏面側に対応する第２の機能と個々独立的に有する非接触型データキャリアが提案されている（例えば、特許文献１参照）。
【０００８】
特許文献１に提案されている非接触型データキャリアによれば、アンテナおよび情報通信部により、情報読取装置から送信される電波を受信して必要な電力と情報を得て、この情報とメモリに記憶されている情報とに基づいて必要な処理を行うとともに、表裏判定部により、コイルを流れる電流の向きから非接触型データキャリアの表裏を検出し、検出結果に基づいて異なる機能を実行することができる。
【特許文献１】特開平１１−２３８１０４号公報
【発明の開示】
【発明が解決しようとする課題】
【０００９】
しかしながら、特許文献１に提案されている被接触型データキャリアでは、情報読取装置と無線通信によりデータの授受を行う際の非接触ＩＣチップ内での処理動作を非接触ＩＣチップの表か裏かによって切り替えることしかできず、携帯電話機にこの技術を適用したとしても、情報読取装置と無線通信によりデータの授受を行った後の携帯電話機本体における機能や処理動作を切り替えることはできない。そのため、非接触ＩＣチップを用いた種々の機能を利用する場合、依然として操作性が悪いという課題があった。
【００１０】
本発明は、このような状況に鑑みてなされてものであり、非接触ＩＣチップを用いて情報読取装置と無線通信によりデータの授受を行う場合において、操作性を向上させることができる情報処理装置を提供することを目的としている。
【課題を解決するための手段】
【００１１】
本発明の情報処理装置は、上述した課題を解決するために、情報処理装置の状態を検出し、状態検出信号を生成する状態検出手段と、情報処理装置と情報読取装置との間でデータの授受を行う際またはデータ授受後に実行される処理動作と、情報処理装置の状態とが予め対応付けられて登録されているデータベースを参照して、状態検出手段により生成された状態検出信号に基づいて、情報処理装置と情報読取装置との間でデータの授受を行う際またはデータ授受後に実行される処理動作を設定する設定手段と、設定手段により設定された処理動作に従い、情報処理装置と情報読取装置との間でデータの授受を行う際またはデータ授受後に、データ処理を実行するデータ処理手段とを備えることを特徴とする。
【発明の効果】
【００１２】
本発明によれば、非接触ＩＣチップを用いて情報読取装置と無線通信によりデータの授受を行う場合において、操作性を向上させることができる。
【発明を実施するための最良の形態】
【００１３】
以下、本発明の実施の形態について、図面を参照しながら説明する。
【００１４】
図１は、本発明を適用した情報授受システム１の概略的な構成を表している。
【００１５】
図１に示されるように、情報読取装置２の近傍に、図示せぬ非接触ＩＣ（Integrated Circuit）チップ（図５の非接触ＩＣチップ５８）が内蔵された情報処理装置３が接近すると、情報処理装置３内において情報読取装置２から輻射された電磁波によって電磁誘導が発生し、それにより生じた電流を用いて情報読取装置２との間で無線通信によりデータの授受が行われる。
【００１６】
図２は、図１の情報読取装置２として適用可能なＩＣリーダ／ライタ４の内部の構成を表している。
【００１７】
アンテナ５は、所定の電磁波を輻射し、それに対する負荷の変化に基づいて、情報処理装置３に内蔵された非接触ＩＣチップが近接されたか否かを検出する。非接触ＩＣチップが近接されたとき、アンテナ５は、非接触ＩＣチップと各種のデータを送受信する。
【００１８】
変調部６は、発振回路７から供給される所定の周波数（例えば、１３．５６MHz）の搬送波を、ＳＰＵ（Signal Processing Unit）１４より供給されるデータに基づいてＡＳＫ変調し、生成された変調波を電磁波としてアンテナ５から出力する。一方、復調部８は、アンテナ５を介して取得した変調波（ＡＳＫ変調波）を復調し、復調されたデータをＳＰＵ１４に出力する。
【００１９】
ＩＣ９は、ＣＰＵ（Central Processing Unit）１０、ＲＯＭ（Read Only Memory）１１、およびＲＡＭ（Random Access Memory）１２、ＳＣＣ（Serial Communication Controller）１３、ＳＰＵ（Signal Processing Unit）１４、並びに、これらのＣＰＵ１０乃至ＳＰＵ１４を相互に接続するバス１５により構成される。
【００２０】
ＣＰＵ１０は、ＲＯＭ１１に格納されている制御プログラムをＲＡＭ１２に展開し、例えば、非接触ＩＣチップから送信されてきた応答データや図示せぬ外部装置Ｐから供給されてきた制御信号に基づいて、各種の処理を実行する。例えば、ＣＰＵ１０は、非接触ＩＣチップに送信するコマンドを生成し、生成されたコマンドをバス１５を介してＳＰＵ１４に出力したり、非接触ＩＣチップから送信されたデータの認証処理などを行う。
【００２１】
ＳＣＣ１３は、外部装置Ｐから供給されたデータを、バス１５を介してＣＰＵ１０に供給したり、ＣＰＵ１０からバス１５を介して供給されたデータを外部装置Ｐに出力する。
【００２２】
ＳＰＵ１４は、非接触ＩＣチップからの応答データが復調部８から供給されたとき、そのデータに対して、例えばＢＰＳＫ復調（マンチェスターコードのデコード）などを施し、取得したデータをＣＰＵ１０に供給する。また、ＳＰＵ１４は、非接触ＩＣチップに送信するコマンドがバス１５を介して供給されたとき、供給されたコマンドにＢＰＳＫ変調（マンチェスターコードへのコーディング）を施し、取得したデータを変調部６に出力する。
【００２３】
図３は、本発明に係る情報処理装置３として適用可能なカメラ付ディジタル携帯電話機ＭＳの外観の構成を表している。なお、図３［Ａ］は、カメラ付ディジタル携帯電話機ＭＳを約１８０度に見開いたときの正面から見た外観の構成を表しており、図３［Ｂ］は、カメラ付ディジタル携帯電話機ＭＳを見開いたときの側面から見た外観の構成を表している。
【００２４】
図３［Ａ］および［Ｂ］に示されるように、カメラ付ディジタル携帯電話機ＭＳは、中央のヒンジ部２１を境に第１の筐体２２と第２の筐体２３とがヒンジ結合されており、ヒンジ部２１を介して矢印Ｘ方向に折り畳み可能に形成される。カメラ付ディジタル携帯電話機ＭＳの内部の所定の位置には、送受信用のアンテナ（後述する図５のアンテナ５４）が設けられており、内蔵されたアンテナを介して基地局（図示せず）との間で電波を送受信する。
【００２５】
第１の筐体２２には、その表面に「０」乃至「９」の数字キー、発呼キー、リダイヤルキー、終話・電源キー、クリアキー、および電子メールキーなどの操作キー２４が設けられており、操作キー２４を用いて各種指示を入力することができる。
【００２６】
第１の筐体２２には、操作キー２４として上部に十字キーと確定キーが設けられており、ユーザが十字キーを上下左右方向に操作することにより当てられたカーソルを上下左右方向に移動させることができる。具体的には、第２の筐体２３に設けられた液晶ディスプレイ２７に表示されている電話帳リストや電子メールのスクロール動作、簡易ホームページのページ捲り動作および画像の送り動作などの種々の動作を実行する。
【００２７】
また、確定キーを押下することにより、種々の機能を確定することができる。例えば第１の筐体２２は、ユーザによる十字キーの操作に応じて液晶ディスプレイ２７に表示された電話帳リストの複数の電話番号の中から所望の電話番号が選択され、確定キーが第１の筐体２２の内部方向に押圧されると、選択された電話番号を確定して電話番号に対して発呼処理を行う。
【００２８】
さらに、第１の筐体２２には、十字キーと確定キーの左隣に電子メールキーが設けられており、電子メールキーが第１の筐体２２の内部方向に押圧されると、メールの送受信機能を呼び出すことができる。十字キーと確定キーの右隣には、ブラウザキーが設けられており、ブラウザキーが第１の筐体２２の内部方向に押圧されると、Ｗｅｂページのデータを閲覧することが可能となる。なお、十字キーと確定キーの左右隣に設けられた電子メールキーおよびブラウザキーは、液晶ディスプレイ２７に表示される画面により例えば「Yes」や「No」などの種々の機能をもつことが可能であるため、それぞれ、soft１キーおよびsoft２キーと呼ばれる。
【００２９】
また、第１の筐体２２には、操作キー２４の下部にマイクロフォン２５が設けられており、マイクロフォン２５によって通話時のユーザの音声を集音する。また、第１の筐体２２には、カメラ付ディジタル携帯電話機ＭＳの操作を行うサイドキー２６が設けられている。
【００３０】
なお、第１の筐体２２は、背面側に図示しないバッテリパックが挿着されており、終話・電源キーがオン状態になると、バッテリパックから各回路部に対して電力が供給されて動作可能な状態に起動する。
【００３１】
ところで、第１の筐体２２には、第１の筐体２２の下部の所定の位置に抜差自在なメモリカード（後述する図５のメモリカード５６）を挿着するためのメモリカードスロット（図示せず）が設けられており、メモボタン（図示せず）が押下されるとメモリカードに通話中の相手の音声を記録したり、ユーザの操作に応じて電子メール、簡易ホームページ、ＣＣＤカメラで撮像した画像を記録することができる。
【００３２】
ここで、メモリカードは、ＮＡＮＤ型フラッシュメモリカードやＮＯＲ型フラッシュメモリカードなどに代表されるフラッシュメモリカードの一種であり、小型薄型形状のプラスチックケース内に電気的に書換えや消去が可能な不揮発性メモリであるフラッシュメモリ素子を格納したものであり、１０ピン端子を介して画像や音声、音楽等の各種データの書き込み及び読み出しが可能となっている。
【００３３】
また、メモリカードは、大容量化等による内蔵フラッシュメモリの仕様変更に対しても、使用する機器で互換性を確保することができる独自のシリアルプロトコルを採用し、高速性能を実現しているとともに、誤消去防止スイッチを設けて高い信頼性を確保している。
【００３４】
従って、カメラ付ディジタル携帯電話機ＭＳは、このようなメモリカードを挿着可能に構成されているために、メモリカードを介して他の電子機器との間でデータの共有化を図ることができる。
【００３５】
また、所定の機能を拡張するためのモジュール（チップ）をメモリカードに組み込み、メモリカードスロット（図示せず）にそれを装着させることにより、カメラ付ディジタル携帯電話機ＭＳの機能をさらに拡張させることができる。
【００３６】
例えば、非接触ＩＣ（Integrated Circuit）チップが組み込まれたメモリカードをカメラ付ディジタル携帯電話機ＭＳに装着することにより、非接触ＩＣチップがカメラ付ディジタル携帯電話機ＭＳに内蔵されていない場合であっても、非接触ＩＣチップが内蔵された場合と同様の電子決済機能などを有するように機能を拡張させることもできる。
【００３７】
一方、第２の筐体２３には、その正面に液晶ディスプレイ２７（メインディスプレイ）が設けられており、電波の受信状態、電池残量、電話帳として登録されている相手先名や電話番号及び送信履歴等の他、電子メールの内容、簡易ホームページ、ＣＣＤ（Charge Coupled Device）カメラ（後述する図４のＣＣＤカメラ３０）で撮像した画像、外部のコンテンツサーバ（図示せず）より受信したコンテンツ、メモリカード（後述する図５のメモリカード５６）に記憶されているコンテンツを表示することができる。また、液晶ディスプレイ２７の上部の所定の位置にはスピーカ２８が設けられており、これにより、ユーザは音声通話することが可能である。
【００３８】
また、第１の筐体２２と第２の筐体２３の内部の所定の位置には、カメラ付ディジタル携帯電話機ＭＳの状態を検知するための磁気センサ２９a、２９b、２９c、および２９dが設けられる。
【００３９】
図４は、本発明に係る情報処理装置３として適用可能なカメラ付ディジタル携帯電話機ＭＳの他の外観の構成を表している。図４のカメラ付ディジタル携帯電話機ＭＳの状態は、図３のカメラ付ディジタル携帯電話機ＭＳの状態から矢印Ｘ方向に回動させた状態である。なお、図４［Ａ］は、カメラ付ディジタル携帯電話機ＭＳを閉じたときの正面から見た外観の構成を表しており、図４［Ｂ］は、カメラ付ディジタル携帯電話機ＭＳを閉じたときの側面から見た外観の構成を表している。
【００４０】
第２の筐体２３の上部には、ＣＣＤカメラ３０が設けられており、これにより、所望の撮影対象を撮像することができる。ＣＣＤカメラ３０の下部には、サブディスプレイ３１が設けられており、現在のアンテナの感度のレベルを示すアンテナピクト、カメラ付ディジタル携帯電話機ＭＳの現在の電池残量を示す電池ピクト、現在の時刻などが表示される。
【００４１】
サブディスプレイ３１の下部には、さらに、静電タッチパッド３２が設けられる。静電タッチパッド３２は、見かけ上一枚のタッチパッドになっているが、図示せぬセンサが複数個所に設けられており、ユーザがセンサの付近をタッチすると、センサがそれを検知し、巻戻し機能、早送り機能、音量ダウン動作、音量アップ動作、再生動作、および一時停止動作などが実行される。
【００４２】
なお、図４［Ａ］に示されるカメラ付ディジタル携帯電話機ＭＳにおいてサブディスプレイ３１が見える面を「表面（おもてめん）」と定義し、その反対側の面を「裏面（うらめん）」と定義する。
【００４３】
図５は、本発明に係る情報処理装置３として適用可能なカメラ付ディジタル携帯電話機ＭＳの内部の構成を表している。
【００４４】
図５に示されるように、カメラ付ディジタル携帯電話機ＭＳは、第１の筐体２２及び第２の筐体２３の各部を統括的に制御する主制御部４１に対して、電源回路部４２、操作入力制御部４３、画像エンコーダ４４、カメラインタフェース部４５、ＬＣＤ（Liquid Crystal Display）制御部４６、多重分離部４８、変復調回路部４９、音声コーデック５０、記憶部５７、非接触ＩＣチップ５８、および向き検知部５９がメインバス５１を介して互いに接続されるとともに、画像エンコーダ４４、画像デコーダ４７、多重分離部４８、変復調回路部４９、音声コーデック５０、および記録再生部５５が同期バス５２を介して互いに接続されて構成される。
【００４５】
電源回路部４２は、ユーザの操作により終話・電源キーがオン状態にされると、バッテリパックから各部に対して電力を供給することによりカメラ付ディジタル携帯電話機ＭＳを動作可能な状態に起動する。
【００４６】
主制御部４１は、ＣＰＵ（Central Processing Unit）、ＲＯＭ（Read Only Memory）、およびＲＡＭ（Random Access Memory）などでからなり、ＣＰＵは、ＲＯＭに記憶されているプログラムまたは記憶部５７からＲＡＭにロードされた各種のアプリケーションプログラムに従って各種の処理を実行するとともに、種々の制御信号を生成し、各部に供給することによりカメラ付ディジタル携帯電話機ＭＳを統括的に制御する。ＲＡＭは、ＣＰＵが各種の処理を実行する上において必要なデータなどを適宜記憶する。
【００４７】
なお、主制御部４１には、現在の日付と時刻を正確に計測するタイマが内蔵されている。
【００４８】
ここで、ＣＰＵが実行する種々のアプリケーションプログラムは、ＲＯＭや記憶部５７に予めインストールしておくことができる。また、ＣＰＵが実行する種々のアプリケーションプログラムは、図示せぬ基地局を介して通信によってカメラ付ディジタル携帯電話機ＭＳにダウンロードすることにより、記憶部５７にインストールすることができる。さらに、ＣＰＵが実行する種々のアプリケーションプログラムは、メモリカード５６に記録しておき、記録再生部５５によって読み出して、記憶部５７にインストールすることも可能である。
【００４９】
カメラ付ディジタル携帯電話機ＭＳは、主制御部４１の制御に基づいて、音声通話モード時にマイクロフォン２５で集音した音声信号を音声コーデック５０によってディジタル音声信号に変換、圧縮し、これを変復調回路部４９でスペクトラム拡散処理し、送受信回路部５３でディジタルアナログ変換処理及び周波数変換処理を施した後にアンテナ５４を介して送信する。
【００５０】
また、カメラ付ディジタル携帯電話機ＭＳは、音声通話モード時にアンテナ５４で受信した受信信号を増幅して周波数変換処理及びアナログディジタル変換処理を施し、変復調回路部４９でスペクトラム逆拡散処理し、音声コーデック５０によって伸張し、アナログ音声信号に変換した後、変換されたアナログ音声信号をスピーカ２８を介して出力する。
【００５１】
さらに、カメラ付ディジタル携帯電話機ＭＳは、データ通信モード時に電子メールを送信する場合、操作キー２４の操作によって入力された電子メールのテキストデータを操作入力制御部４３を介して主制御部４１に送出する。主制御部４１は、テキストデータを変復調回路部４９でスペクトラム拡散処理し、送受信回路部５３でディジタルアナログ変換処理及び周波数変換処理を施した後にアンテナ５４を介して基地局（図示せず）へ送信する。
【００５２】
これに対してカメラ付ディジタル携帯電話機ＭＳは、データ通信モード時に電子メールを受信する場合、アンテナ５４を介して基地局（図示せず）から受信した受信信号を変復調回路部４９でスペクトラム逆拡散処理して元のテキストデータを復元した後、ＬＣＤ制御部４６を介して液晶ディスプレイ２７に電子メールとして表示する。
【００５３】
その後カメラ付ディジタル携帯電話機ＭＳは、ユーザの操作に応じて受信した電子メールを記録再生部５５を介してメモリカード５６に記録することも可能である。
【００５４】
カメラ付ディジタル携帯電話機ＭＳは、画像信号を送信しない場合には、ＣＣＤカメラ３０で撮像した画像信号をカメラインタフェース部４５及びＬＣＤ制御部４６を介して液晶ディスプレイ２７に直接表示する。
【００５５】
カメラ付ディジタル携帯電話機ＭＳは、データ通信モード時に画像信号を送信する場合、ＣＣＤカメラ３０で撮像された画像信号をカメラインタフェース部４５を介して画像エンコーダ４４に供給する。
【００５６】
画像エンコーダ４４は、ＣＣＤカメラ３０から供給された画像信号を、例えばＭＰＥＧ（Moving Picture Experts Group）４などの所定の符号化方式によって圧縮符号化することにより符号化画像信号に変換し、変換された符号化画像信号を多重分離部４８に送出する。このとき同時にカメラ付ディジタル携帯電話機ＭＳは、ＣＣＤカメラ３０で撮像中にマイクロフォン２５で集音した音声を音声コーデック５０を介してディジタルの音声信号として多重分離部４９送出する。
【００５７】
多重分離部４９は、画像エンコーダ４４から供給された符号化画像信号と音声コーデック５０から供給された音声信号とを所定の方式で多重化し、その結果得られる多重化信号を変復調回路部４９でスペクトラム拡散処理し、送受信回路部５３でディジタルアナログ変換処理及び周波数変換処理を施した後にアンテナ５４を介して送信する。
【００５８】
これに対して、カメラ付ディジタル携帯電話機ＭＳでは、データ通信モード時に、Ｗｅｂページのデータを受信することができる。
【００５９】
すなわち、カメラ付ディジタル携帯電話機ＭＳにおいて、データ通信モードに、例えばＷｅｂページを要求するデータを送信すると、その要求に応じて、Ｗｅｂページのデータが基地局（図示せず）を介して送信される。このＷｅｂページのデータは、アンテナ５４を介して送受信回路部５３および変復調回路４９で受信される。送受信回路部５３および変復調回路４９は、受信したＷｅｂページのデータを主制御部４１に送出する。
【００６０】
主制御部４１は、Ｗｅｂページのデータを解釈し、その解釈に基づく画面（画像）を作成する。作成された画面は、主制御部４１からＬＣＤ制御部４６を介して液晶ディスプレイ２７に供給されて表示される。すなわち、主制御部４１のＲＯＭまたは記憶部５７には、少なくともＷｅｂブラウザのアプリケーションプログラムがインストールされており、主制御部４１のＣＰＵは、ＲＡＭ上でＷｅｂブラウザのアプリケーションプログラムを実行することで、Ｗｅｂブラウザとして機能し、Ｗｅｂページのデータの解釈などを行う。
【００６１】
また、カメラ付ディジタル携帯電話機ＭＳは、データ通信モード時に例えばＷｅｂページなどにリンクされた動画像ファイルのデータを受信する場合、アンテナ５４を介して基地局（図示せず）から受信した受信信号を変復調回路部４９でスペクトラム逆拡散処理し、その結果得られる多重化信号を多重分離部４８に送出する。
【００６２】
多重分離部４８は、多重化信号を分離することにより符号化画像信号と音声信号とに分け、同期バス５２を介して符号化画像信号を画像デコーダ４７に供給すると共に音声信号を音声コーデック５０に供給する。画像デコーダ４７は、符号化画像信号をＭＰＥＧ４などの所定の符号化方式に対応した復号化方式でデコードすることにより再生動画像信号を生成し、生成された再生動画像信号をＬＣＤ制御部４６を介して液晶ディスプレイ２７に供給し、これにより、例えば、Ｗｅｂページなどにリンクされた動画像ファイルに含まれる動画像データが表示される。
【００６３】
このとき同時に音声コーデック５０は、音声信号をアナログ音声信号に変換した後、これをスピーカ２８に供給し、これにより、例えば、Ｗｅｂページなどにリンクされた動画像ファイルに含まる音声信号が再生される。この場合も電子メールの場合と同様にカメラ付ディジタル携帯電話機ＭＳは、受信したＷｅｂページなどにリンクされたデータをユーザの操作により記録再生部５５を介してメモリカード５６に記録することが可能である。
【００６４】
記憶部５７は、例えば、電気的に書換えや消去が可能な不揮発性メモリであるフラッシュメモリ素子などからなり、主制御部４１のＣＰＵにより実行される種々のアプリケーションプログラムや種々のデータ群を格納している。また、記憶部５７は、必要に応じて、ユーザの操作に応じて受信した電子メールや、受信したＷｅｂページなどにリンクされた動画像ファイルに含まれる動画像データなどを記憶する。
【００６５】
非接触ＩＣチップ５８は、カメラ付ディジタル携帯電話機ＭＳがＩＣリーダ／ライタ４などの情報読取装置２に近接され、そのＩＣリーダ／ライタ４から輻射される電磁波を受信したとき、それに応じて、各種の情報をＩＣリーダ／ライタ４に供給する。
【００６６】
向き検出部５９は、例えば図６に示されるように、ＩＣリーダ／ライタ４のコイルaから輻射される電磁波を遮断する遮蔽板ｃにより区切られたコイルｂ−１とコイルｂ−２からなり、例えばコイルｂ−１がカメラ付ディジタル携帯電話機ＭＳの表面（図４［Ａ］においてサブディスプレイ３１が見える側）側に予め設置され、コイルｂ−２がカメラ付ディジタル携帯電話機ＭＳの裏面側（図４［Ａ］においてサブディスプレイ３１が見えない側）に予め設置される。勿論、反対に、コイルｂ−２がカメラ付ディジタル携帯電話機ＭＳの表面側に予め設置され、コイルｂ−１がカメラ付ディジタル携帯電話機ＭＳの裏面側に予め設置されるようにしてもよい。また、遮蔽板ｃは、カメラ付ディジタル携帯電話機ＭＳの表面と裏面に平行となるように設けられるが、このような場合に限られず、所定の領域における電磁波の輻射を遮断することができさえずればよい。
【００６７】
向き検出部５９は、カメラ付ディジタル携帯電話機ＭＳカメラ付ディジタル携帯電話機ＭＳがＩＣリーダ／ライタ４などの情報読取装置２に近接され、そのＩＣリーダ／ライタ４のコイルaから輻射される電磁波を受信したときに電磁誘導によって流れる電流を用いて、カメラ付ディジタル携帯電話機ＭＳの向きを検出する。
【００６８】
すなわち、コイルｂ−１とコイルｂ−２は遮蔽板ｃにより区切られているので、例えばコイルｂ−１が設置される表面側をＩＣリーダ／ライタ４などの情報読取装置２に近接させると、コイルｂ−１に電磁誘導によって電流は流れる。一方、コイルｂ−２が設置される裏面側には遮蔽板ｃにより電磁波が遮断されているため、コイルｂ−２には電磁誘導が起こらず、電流は発生しない。これにより、コイルｂ−１またはコイルｂ−２に流れる電流を用いて、カメラ付ディジタル携帯電話機ＭＳの表面がＩＣリーダ／ライタ４などの情報読取装置２に近接されたのか、あるいは、カメラ付ディジタル携帯電話機ＭＳの裏面がＩＣリーダ／ライタ４などの情報読取装置２に近接されたのかを検出することができる。
【００６９】
向き検出部５９は、検出されたカメラ付ディジタル携帯電話機ＭＳの向きを示す向き検出信号を生成し、主制御部４１に供給する。
【００７０】
図７は、図５の非接触ＩＣチップ５８の内部の詳細な構成を表している。
【００７１】
図７に示されるように、非接触ＩＣチップ５８は、例えば、図７に示すアンテナ（ループアンテナ）７０およびコンデンサ７１と、それ以外の構成が１チップに格納されたＩＣから構成され、電磁誘導を利用して図示せぬ外部装置Ｐに設けられたＩＣリーダ／ライタ４と各種のデータを半二重通信する。非接触ＩＣチップ５８と基本的に同様の機能を提供するものとして、例えばFelicaチップ（登録商標）など知られている。
【００７２】
ＣＰＵ６１は、ＲＯＭ６２に格納されている制御プログラムをＲＡＭ６３に展開し、非接触ＩＣチップ５８の全体の動作を制御する。例えばＣＰＵ６１は、図示せぬ外部装置Ｐに設けられたＩＣリーダ／ライタ４から輻射された電磁波がアンテナ７０において受信されたとき、それに応じて、非接触ＩＣチップ５８に記憶されているカード識別番号をＩＣリーダ／ライタ４に通知し、所定の処理を行う。
【００７３】
また、非接触ＩＣチップ５８に記憶されている電子マネー情報を用いて、ＩＣリーダ／ライタ４と電子マネー情報処理を行う。
【００７４】
アンテナ７０とコンデンサ７１により構成されるＬＣ回路は、近傍に配置された図示せぬ外部装置Ｐに設けられたＩＣリーダ／ライタ４から輻射された所定の周波数の電磁波と共振する。インタフェース部６９は、ＡＳＫ（Amplitude Shift Keying）復調部７６において、アンテナ７０を介して受信した変調波（ASK変調波）を包絡線検波して復調し、復調後のデータをＢＰＳＫ（Binary Phase Shift Keying）復調部７２に出力する。
【００７５】
また、インタフェース部６９は、アンテナ７０において励起された交流磁界をＡＳＫ復調部７６により整流し、それを電圧レギュレータ７４において安定化し、各部に直流電源として供給する。ＩＣリーダ／ライタ４から輻射される電磁波の電力は、非接触ＩＣチップ５８に必要な電力を賄う磁界を発生させるように調整される。
【００７６】
また、インタフェース部６９の発振回路７７はＰＬＬ（Phase Locked Loop）回路（図示せず）を内蔵し、受信信号のクロック周波数と同一の周波数のクロック信号を発生する。
【００７７】
さらに、インタフェース部６９は、例えば、残金情報等を図示せぬ外部装置Ｐに設けられたＩＣリーダ／ライタ４に送信する場合、ＢＰＳＫ変調部６８から供給されるデータに対応して、例えば所定のスイッチング素子（図示せず）をオン／オフさせ、スイッチング素子がオン状態であるときだけ、所定の負荷をアンテナ７０に並列に接続させることにより、アンテナ７０の負荷を変動させる。
【００７８】
ＡＳＫ変調部７５は、アンテナ７０の負荷の変動により、アンテナ７０において受信されているＩＣリーダ／ライタ４からの変調波をＡＳＫ変調し、その変調成分をアンテナ７０を介してＩＣリーダ／ライタ４に送信する（ＩＣリーダ／ライタ４のアンテナの端子電圧を変動させる）（ロードスイッチング方式）。
【００７９】
ＢＰＳＫ復調部７２は、ＡＳＫ復調部７６で復調されたデータがＢＰＳＫ変調されている場合、図示せぬＰＬＬ回路から供給されるクロック信号に基づいて、そのデータの復調（マンチェスターコードのデコード）を行い、復調したデータをデータ受信部７３に出力する。データ受信部７３は、供給されたデータをＣＰＵ６１に適宜出力する。ＣＰＵ６１は、入力されたデータをＲＡＭ６３またはＥＥＰＲＯＭ６４に記憶させる。
【００８０】
ＥＥＰＲＯＭ６４に記憶されたデータは、ＣＰＵ６１により適宜読み出され、データ送信部６７に供給される。ＢＰＳＫ変調部６８は、データ送信部６７から供給されたデータにＢＰＳＫ変調（マンチェスターコードへのコーディング）を行い、それをＡＳＫ変調部７５に出力する。
【００８１】
入出力インタフェース６５は、図５の主制御部４１との間のインタフェース処理を行う。
【００８２】
ＥＥＰＲＯＭ６４には、電子マネー情報を予め記憶する。ユーザは、この電子マネーを利用して、購入した商品やサービスなどの代金を決済することができる。決済の履歴もＥＥＰＲＯＭ６４に必要に応じて記憶される。
【００８３】
図８は、本発明に係る情報処理装置３として適用可能なカメラ付ディジタル携帯電話機ＭＳが実行することができる機能的な構成を表している。
【００８４】
処理動作設定部８１は、通信開始指示信号生成部８６から供給された通信開始指示信号に基づいて、ＩＣリーダ／ライタ４と非接触ＩＣチップ５８との通信が開始したことを認識するとともに、補助記憶部８２に予め記憶されている、非接触ＩＣチップ５８とＩＣリーダ／ライタ４との間でデータの授受を行う際やデータ授受後に実行される処理動作と、カメラ付ディジタル携帯電話機ＭＳの向きとが予め対応付けられて登録されているデータベースを読み出す。
【００８５】
処理動作設定部８１は、補助記憶部８２から読み出されたデータベース（非接触ＩＣチップ５８とＩＣリーダ／ライタ４との間でデータの授受を行う際やデータ授受後に実行される処理動作と、カメラ付ディジタル携帯電話機ＭＳの向きとが予め対応付けられて登録されているデータベース）を参照して、向き検出部５９から供給された向き検出信号に基づいて、非接触ＩＣチップ５８とＩＣリーダ／ライタ４との間でデータの授受を行う際やデータ授受後に実行される処理動作を設定する。
【００８６】
処理動作設定部８１は、設定された処理動作が非接触ＩＣチップ５８とＩＣリーダ／ライタ４との間でデータの授受を行う際に実行される処理動作であるか否かを判定し、設定された処理動作が非接触ＩＣチップ５８とＩＣリーダ／ライタ４との間でデータの授受を行う際に実行される処理動作であると判定された場合、設定された処理動作設定データをデータ処理部８７に供給する。一方、設定された処理動作が非接触ＩＣチップ５８とＩＣリーダ／ライタ４との間でデータの授受を行う際に実行される処理動作ではないと判定された場合（すなわち、非接触ＩＣチップ５８とＩＣリーダ／ライタ４との間でデータの授受後に実行される処理動作であると判定された場合）、設定された処理動作設定データをデータ処理部８４に供給する。
【００８７】
補助記憶部８２は、例えば図５の記憶部５７などからなり、予め設定された非接触ＩＣチップ５８とＩＣリーダ／ライタ４との間でデータの授受を行う際やデータの授受後に実行される処理動作と、カメラ付ディジタル携帯電話機ＭＳの向きとが予め対応付けられて登録されているデータベースを記憶している。また、カメラ付ディジタル携帯電話機ＭＳにおける種々の処理に必要な種々のデータを記憶している。なお、カメラ付ディジタル携帯電話機ＭＳの向きと対応付けられた処理動作は、ユーザの好みに応じて予め設定される。
【００８８】
データ取得部８３は、データ処理部８７において非接触ＩＣチップ５８とＩＣリーダ／ライタ４との間でデータの授受を行う際に実行された処理動作に基づく処理結果に関するデータをデータ処理部８７から取得し、取得された処理結果に関するデータをデータ処理部８４に供給する。
【００８９】
データ処理部８４は、処理動作設定部８１から供給された処理動作設定データを取得し、取得された処理動作設定データに基づいて実行する処理動作を認識するとともに、処理動作設定データに基づく設定された処理動作に対応するアプリケーションプログラムを補助記憶部８２から読み出す。データ処理部８４は、データ取得部８３から供給された処理結果に関するデータを取得し、補助記憶部８２から読み出された設定された処理動作に対応するアプリケーションプログラムに従い、取得された処理結果に関するデータに基づいて設定された処理動作を実行する。
【００９０】
通信部８５は、ＩＣリーダ／ライタ４と無線通信を行い、ＩＣリーダ／ライタ４からのデータをデータ処理部８７に供給するとともに、データ処理部８７からのデータをＩＣリーダ／ライタ４に送信する。また、通信部８５は、ＩＣリーダ／ライタ４との無線通信が開始されると、無線通信が開始された旨の通知を通信開始指示信号生成部８６に供給する。
【００９１】
通信開始指示信号生成部８６は、通信部８５からの無線通信が開始された旨の通知を取得し、取得された無線通信が開始された旨の通知に基づいて、無線通信が開始されたことを示す通信開始指示信号を生成し、生成された通信開始指示信号を処理動作設定部８１に供給する。
【００９２】
データ処理部８７は、処理動作設定部８１から供給された処理動作設定データを取得し、取得された処理動作設定データに基づいて実行する処理動作を認識するとともに、処理動作設定データに基づく設定された処理動作に対応するアプリケーションプログラムを補助記憶部８８から読み出す。データ処理部８７は、補助記憶部８８から読み出された設定された処理動作に対応するアプリケーションプログラムに従い、通信部８５を介して無線通信によりＩＣリーダ／ライタ４との間で設定された処理動作を実行する。
【００９３】
補助記憶部８８は、例えば図７のＥＥＰＲＯＭ６４などからなり、予め設定された非接触ＩＣチップ５８とＩＣリーダ／ライタ４との間でデータの授受を行う際に実行される種々の処理動作に対応するアプリケーションプログラムや、例えば電子マネー情報、利用履歴情報、およびカード識別番号などの非接触ＩＣチップ５８における種々の処理に必要な種々のデータを記憶している。
【００９４】
図９のフローチャートを参照して、図８のカメラ付ディジタル携帯電話機ＭＳにおける処理動作実行制御処理について説明する。なお、この処理動作実行制御処理は、ユーザによりカメラ付ディジタル携帯電話機ＭＳがＩＣリーダ／ライタ４に近接されることにより開始される。
【００９５】
ステップＳ１において、カメラ付ディジタル携帯電話機ＭＳがＩＣリーダ／ライタ４に近接されると、カメラ付ディジタル携帯電話機ＭＳに内蔵された非接触ＩＣチップ５８の通信部８５は、ＩＣリーダ／ライタ４から輻射された電磁波を受けて、ＩＣリーダ／ライタ４との無線通信を開始する。
【００９６】
ステップＳ２において、通信部８５は、ＩＣリーダ／ライタ４との無線通信が開始されると、無線通信が開始された旨の通知を通信開始指示信号生成部８６に供給する。通信開始指示信号生成部８６は、通信部８５からの無線通信が開始された旨の通知を取得し、取得された無線通信が開始された旨の通知に基づいて、無線通信が開始されたことを示す通信開始指示信号を生成し、生成された通信開始指示信号を処理動作設定部８１に供給する。
【００９７】
ステップＳ３において、向き検出部５９は、図１０［Ａ］および［Ｂ］に示されるように、カメラ付ディジタル携帯電話機ＭＳがＩＣリーダ／ライタ４などの情報読取装置２に近接され、そのＩＣリーダ／ライタ４のコイルaから輻射される電磁波を受信したときに電磁誘導によって流れる電流を用いて、カメラ付ディジタル携帯電話機ＭＳの向きを検出する。
【００９８】
図１０［Ａ］の例の場合、カメラ付ディジタル携帯電話機ＭＳの表面が上であり、カメラ付ディジタル携帯電話機ＭＳの裏面のコイルｂ−２に電磁誘導による電流が流れる。これにより、カメラ付ディジタル携帯電話機ＭＳの向きが表面の向きであることが検出される。
【００９９】
一方、図１０［Ｂ］の例の場合、カメラ付ディジタル携帯電話機ＭＳの裏面が上であり、カメラ付ディジタル携帯電話機ＭＳの表面のコイルｂ−１に電磁誘導による電流が流れる。これにより、カメラ付ディジタル携帯電話機ＭＳの向きが裏面の向きであることが検出される。
【０１００】
向き検出部５９は、検出されたカメラ付ディジタル携帯電話機ＭＳの向きを示す向き検出信号（検出されたカメラ付ディジタル携帯電話機ＭＳの向きが表面の向きであることを示す向き検出信号、あるいは、検出されたカメラ付ディジタル携帯電話機ＭＳの向きが裏面の向きであることを示す向き検出信号）を生成し、生成された向き検出信号を処理動作設定部８１に供給する。
【０１０１】
これにより、コイルｂ−１またはコイルｂ−２に流れる電流を用いて、カメラ付ディジタル携帯電話機ＭＳの表面がＩＣリーダ／ライタ４などの情報読取装置２に近接されたのか、あるいは、カメラ付ディジタル携帯電話機ＭＳの裏面がＩＣリーダ／ライタ４などの情報読取装置２に近接されたのかを検出することができる。
【０１０２】
また、カメラ付ディジタル携帯電話機ＭＳの向きの検出にコイル（コイルｂ−１とコイルｂ−２）と電磁波を用いるようにしているので、カメラ付ディジタル携帯電話機ＭＳの向きを正確に検出することができる。
【０１０３】
従って、ユーザは、カメラ付ディジタル携帯電話機ＭＳの向きによって非接触ＩＣチップ５８において実行させる処理を簡単に切り替えることができ、その結果、非接触ＩＣチップを用いて情報読取装置と無線通信によりデータの授受を行う場合において、操作性をより向上させることができる。
【０１０４】
なお、本発明の実施形態においては、カメラ付ディジタル携帯電話機ＭＳの向きが表面の向きであるか裏面の向きであるか否かを検出するようにしたが、向きを検出するためのコイル（コイルｂ−１やコイルｂ−２など）を遮蔽板ｃによりそれぞれ区切って（例えば、遮蔽板ｃをクロスさせて区切って）２以上設けて、より高精細に向きを検出し、例えば側面の向きであるか斜めの向きであるかを検出するようにしてもよい。これにより、カメラ付ディジタル携帯電話機ＭＳの向きに応じてより多くの処理動作を予め対応付けてデータベースに登録させることができ、ユーザは、カメラ付ディジタル携帯電話機ＭＳの細かく向きを変化させることにより、種々の処理動作を選択して実行させることができる。
【０１０５】
勿論、電流が流れるか否かによりカメラ付ディジタル携帯電話機ＭＳの向きを検出することから、設けられるコイルの数は１つでもよい。
【０１０６】
ステップＳ４において、処理動作設定部８１は、通信開始指示信号生成部８６から供給された通信開始指示信号に基づいて、ＩＣリーダ／ライタ４と非接触ＩＣチップ５８との通信が開始したことを認識するとともに、補助記憶部８２に予め記憶されている、非接触ＩＣチップ５８とＩＣリーダ／ライタ４との間でデータの授受を行う際やデータ授受後に実行される処理動作と、カメラ付ディジタル携帯電話機ＭＳの向きとが予め対応付けられ登録されているデータベースを読み出す。
【０１０７】
図１０［Ｃ］の例の場合、カメラ付ディジタル携帯電話機ＭＳの向きが表面の向きであるとき、非接触ＩＣチップ５８とＩＣリーダ／ライタ４との間でデータの授受を行う際またはデータ授受後に実行される処理動作は「処理動作Ａ」であり、カメラ付ディジタル携帯電話機ＭＳの向きが裏面の向きであるとき、非接触ＩＣチップ５８とＩＣリーダ／ライタ４との間でデータの授受を行う際またはデータ授受後に実行される処理動作は「処理動作Ｂ」である。
【０１０８】
ステップＳ５において、処理動作設定部８１は、補助記憶部８２から読み出されたデータベース（非接触ＩＣチップ５８とＩＣリーダ／ライタ４との間でデータの授受を行う際やデータ授受後に実行される処理動作と、カメラ付ディジタル携帯電話機ＭＳの向きとが予め対応付けられて登録されているデータベース）を参照して、向き検出部５９から供給された向き検出信号に基づいて、非接触ＩＣチップ５８とＩＣリーダ／ライタ４との間でデータの授受を行う際やデータ授受後に実行される処理動作を設定する。
【０１０９】
図１０の例の場合、カメラ付ディジタル携帯電話機ＭＳの向きが表面の向きであるとき、非接触ＩＣチップ５８とＩＣリーダ／ライタ４との間でデータの授受を行う際またはデータ授受後に実行される処理動作は「処理動作Ａ」に設定される。
【０１１０】
ステップＳ６において、処理動作設定部８１は、設定された処理動作が非接触ＩＣチップ５８とＩＣリーダ／ライタ４との間でデータの授受を行う際に実行される処理動作であるか否かを判定する。
【０１１１】
ステップＳ６において設定された処理動作が非接触ＩＣチップ５８とＩＣリーダ／ライタ４との間でデータの授受を行う際に実行される処理動作であると判定された場合、処理動作設定部８１はステップＳ７で、設定された処理動作設定データをデータ処理部８７に供給する。
【０１１２】
ステップＳ８において、データ処理部８７は、処理動作設定部８１から供給された処理動作設定データを取得し、取得された処理動作設定データに基づいて実行する処理動作を認識するとともに、処理動作設定データに基づく設定された処理動作に対応するアプリケーションプログラムを補助記憶部８８から読み出す。データ処理部８７は、補助記憶部８８から読み出された設定された処理動作に対応するアプリケーションプログラムに従い、通信部８５を介して無線通信によりＩＣリーダ／ライタ４との間で設定された処理動作を実行する。例えば、非接触ＩＣチップ５８を用いてＩＣリーダ／ライタ４との間でクレジット決済処理や電子マネー情報処理などを実行する。
【０１１３】
これにより、複数のクレジット会社のクレジットカードをユーザが商品などにより使い分けたい場合、カメラ付ディジタル携帯電話機ＭＳの向きを変えることにより、例えば、商品Ａについてはクレジット会社Ｘのクレジットカードを用いたクレジット決済処理を実行させ、商品Ｂについてはクレジット会社Ｙのクレジットカードを用いたクレジット決済処理を実行させることができる。従って、ユーザは、カメラ付ディジタル携帯電話機ＭＳの向きによって非接触ＩＣチップ５８において実行させる処理を簡単に切り替えることができ、その結果、非接触ＩＣチップ５８を用いてＩＣリーダ／ライタ４と無線通信によりデータの授受を行う場合において、操作性を向上させることができる。
【０１１４】
また、ＩＣリーダ／ライタ４との処理動作開始前に予め実行する処理動作に切り替えるようにしているので、ＩＣリーダ／ライタ４との無線通信をスムーズに実行することが可能となる。
【０１１５】
データ処理部８７は、設定された処理動作を実行した結果、得られた処理結果に関するデータを補助記憶部８８に供給する。
【０１１６】
ステップＳ９において、補助記憶部８８は、データ処理部８７から供給された処理結果に関するデータを取得し、取得された処理結果に関するデータを記憶する。
【０１１７】
その後、処理動作実行制御処理は終了する。
【０１１８】
一方、ステップＳ６において設定された処理動作が非接触ＩＣチップ５８とＩＣリーダ／ライタ４との間でデータの授受を行う際に実行される処理動作ではないと判定された場合（すなわち、非接触ＩＣチップ５８とＩＣリーダ／ライタ４との間でデータの授受後に実行される処理動作であると判定された場合）、処理動作設定部８１はステップＳ１０で、設定された処理動作設定データをデータ処理部８４に供給する。
【０１１９】
ステップＳ１１において、データ処理部８７は、処理動作実行制御処理前から予め設定された処理動作に対応するアプリケーションプログラムを補助記憶部８８から読み出し、補助記憶部８８から読み出された設定された処理動作に対応するアプリケーションプログラムに従い、通信部８５を介して無線通信によりＩＣリーダ／ライタ４との間で予め設定された処理動作を実行する。例えば、非接触ＩＣチップ５８を用いてクレジット決済処理や電子マネー情報処理などを実行する。
【０１２０】
データ処理部８７は、設定された処理動作を実行した結果、得られた処理結果に関するデータをデータ取得部８３と補助記憶部８８に供給する。
【０１２１】
ステップＳ１２において、補助記憶部８８は、データ処理部８７から供給された処理結果に関するデータを取得し、取得された処理結果に関するデータを記憶する。
【０１２２】
ステップＳ１３において、データ取得部８３は、データ処理部８７において非接触ＩＣチップ５８とＩＣリーダ／ライタ４との間でデータの授受を行う際に実行された処理動作に基づく処理結果に関するデータをデータ処理部８７から取得し、取得された処理結果に関するデータをデータ処理部８４に供給する。
【０１２３】
ステップＳ１４において、データ処理部８４は、処理動作設定部８１から供給された処理動作設定データを取得し、取得された処理動作設定データに基づいて実行する処理動作を認識するとともに、処理動作設定データに基づく設定された処理動作に対応するアプリケーションプログラムを補助記憶部８２から読み出す。データ処理部８４は、データ取得部８３から供給された処理結果に関するデータを取得し、補助記憶部８２から読み出された設定された処理動作に対応するアプリケーションプログラムに従い、取得された処理結果に関するデータに基づいて設定された処理動作を実行する。
【０１２４】
例えば、非接触ＩＣチップ５８における電子マネー情報処理後における電子マネーの残金や利用履歴などを液晶ディスプレイ２７に表示させる表示処理などを実行する。また、電子マネー情報処理後にカメラ付ディジタル携帯電話機ＭＳにロックをかけるロック処理を実行するようにしてもよい。
【０１２５】
これにより、カメラ付ディジタル携帯電話機ＭＳの向きを変えることにより、例えば、非接触ＩＣチップ５８における電子マネー情報処理後における電子マネーの残金や利用履歴などを液晶ディスプレイ２７に表示させる表示処理などを実行させたり、非接触ＩＣチップ５８における電子マネー情報処理後において音やバイブのみの通知処理を実行させたりすることができる。すなわち、ショッピングモールなどで一日中頻繁に買い物をする場合に、ショッピングを終了するときのみ、電子マネーの残金や利用履歴などを液晶ディスプレイ２７に表示させる表示処理などを実行させ、それ以外のショッピング時においては、音やバイブのみの通知処理を実行させることができる。
【０１２６】
従って、ユーザは、カメラ付ディジタル携帯電話機ＭＳの向きによって非接触ＩＣチップ５８において実行させる処理を簡単に切り替えることができ、その結果、非接触ＩＣチップ５８を用いてＩＣリーダ／ライタ４と無線通信によりデータの授受を行う場合において、操作性を向上させることができる。
【０１２７】
なお、例えばカメラ付ディジタル携帯電話機ＭＳの向きが表面の向きであるときに実行する処理動作として自動改札における乗車券処理を予め対応付け、カメラ付ディジタル携帯電話機ＭＳの向きが裏面の向きであるときに実行する処理動作として電子マネー情報処理を予め対応付けておき、その際、カメラ付ディジタル携帯電話機ＭＳの向きを表面の向きにして自動改札における乗車券処理を実行する場合には利用金額の制限を設けず、一方、カメラ付ディジタル携帯電話機ＭＳの向きを裏面の向きにして電子マネー情報処理を実行する場合には利用金額の制限を設けるようにしてもよい。
【０１２８】
また、本発明の実施形態においては、カメラ付ディジタル携帯電話機ＭＳの向きをコイルｂ−１やコイルｂ−２などを用いて検出するようにしたが、このような場合に限られず、重力センサなどを用いてカメラ付ディジタル携帯電話機ＭＳの向きを検出するようにしてもよい。
【０１２９】
さらに、ＩＣリーダ／ライタ４などの情報読取装置２に赤外線出力部を設け、カメラ付ディジタル携帯電話機ＭＳに赤外線検出部を設けるようにし、赤外線を受けた面がいずれかの面であるか否かを用いて向きを検出するようにしてもよい。
【０１３０】
また、カメラ付ディジタル携帯電話機ＭＳの方位により処理動作などを切り替えるようにしてもよい。
【０１３１】
本発明の実施形態においては、カメラ付ディジタル携帯電話機ＭＳの向きを検出するようにしたが、このような場合に限られず、カメラ付ディジタル携帯電話機ＭＳの状態（例えば、所定の操作キー２４が非接触ＩＣチップ５８を用いるに際して押されている状態など）を検出するようにしてもよい。
【０１３２】
なお、本発明は、携帯電話機以外にも、ＰＤＡ（Personal Digital Assistant）、パーソナルコンピュータ、その他の情報処理装置にも適用することができる。
【０１３３】
また、本発明の実施形態において説明した一連の処理は、ソフトウェアにより実行させることもできるが、ハードウェアにより実行させることもできる。
【０１３４】
さらに、本発明の実施形態では、フローチャートのステップは、記載された順序に沿って時系列的に行われる処理の例を示したが、必ずしも時系列的に処理されなくとも、並列的あるいは個別実行される処理をも含むものである。
【図面の簡単な説明】
【０１３５】
【図１】本発明を適用した情報授受システムの概略的な構成を示す図。
【図２】本発明に係る情報読取装置として適用可能なＩＣリーダ／ライタの内部の構成を示すブロック図。
【図３】本発明に係る情報処理装置として適用可能なカメラ付ディジタル携帯電話機の外観の構成を示す外観図。
【図４】本発明に係る情報処理装置として適用可能なカメラ付ディジタル携帯電話機の他の外観の構成を示す外観図。
【図５】本発明に係る情報処理装置として適用可能なカメラ付ディジタル携帯電話機の内部の構成を示すブロック図。
【図６】図５の向き検出部におけるカメラ付ディジタル携帯電話機の向き検出方法について説明する説明図。
【図７】図５の非接触ＩＣチップの内部の構成を示すブロック図。
【図８】本発明に係る情報処理装置として適用可能なカメラ付ディジタル携帯電話機が実行することができる機能的な構成を示すブロック図。
【図９】図８のカメラ付ディジタル携帯電話機における処理動作実行制御処理を説明するフローチャート。
【図１０】図８のカメラ付ディジタル携帯電話機における処理動作設定方法について説明する説明図。
【符号の説明】
【０１３６】
１…情報授受システム、２…情報読取装置、３…情報処理装置、４…ＩＣリーダ／ライタ、５…アンテナ、６…変調部、７…発振回路、８…復調部、９…ＩＣ、１０…ＣＰＵ、１１…ＲＯＭ、１２…ＲＡＭ、１３…ＳＣＣ、１４…ＳＰＵ、１５…バス、ＭＳ…カメラ付ディジタル携帯電話機、２１…ヒンジ部、２２…第１の筐体、２３…第２の筐体、２４…操作キー、２５…マイクロフォン、２６…サイドキー、２７…液晶ディスプレイ、２８…スピーカ、２９a乃至２９d…磁気センサ、３０…ＣＣＤカメラ、３１…サブディスプレイ、３２…静電タッチパッド、４１…主制御部、４２…電源回路、４３…操作入力制御部、４４…画像エンコーダ、４５…カメラI/F部、４６…ＬＣＤ制御部、４７…画像デコーダ、４８…多重分離部、４９…変復調回路部、５０…音声コーデック、５１…メインバス、５２…同期バス、５３…送受信回路部、５４…アンテナ、５５…記録再生部、５６…メモリカード、５７…記憶部、５８…非接触ＩＣチップ、５９…向き検出部、６１…ＣＰＵ，６２…ＲＯＭ，６３…ＲＡＭ、６４…ＥＥＰＲＯＭ、６５…入出力インタフェース、６６…バス、６７…データ送信部、６８…ＢＰＳＫ変調部、６９…インタフェース部、７０…アンテナ、７１…コンデンサ、７２…ＢＰＳＫ復調部、７３…データ受信部、７４…電圧レギュレータ、７５…ＡＳＫ変調部、７６…ＡＳＫ復調部、７７…発振回路、８１…処理動作設定部、８２…補助記憶部、８３…データ取得部、８４…データ処理部、８５…通信部、８６…通信開始指示信号生成部、８７…データ処理部、８８…補助記憶部。
【図１】
2008003889.tif 000003
【図２】
2008003889.tif 000004
【図３】
2008003889.tif 000005
【図４】
2008003889.tif 000006
【図５】
2008003889.tif 000007
【図６】
2008003889.tif 000008
【図７】
2008003889.tif 000009
【図８】
2008003889.tif 000010
【図９】
2008003889.tif 000011
【図１０】
2008003889.tif 000012